(57)【要約】【課題】プロジェクターが異常を検知した後の起動時に認証を行い、使用を制限する。【解決手段】異常検知手段２７はプロジェクター１の異常発生を検知すると、異常検知フラグ２１１をセットし、制御手段２０はプロジェクター１の電源オン操作を検出したとき、異常検知フラグ２１１がセットされていたら、認証手段２０１により、プロジェクター１の使用を許可するか否かの認証を行う。【選択図】図１
2013152387.tif 000002
【特許請求の範囲】
【請求項１】
画像を投写するプロジェクターであって、
光源から射出された光を画像情報に応じて変調して投写する画像投写手段と、
異常発生を検知する異常検知手段と、
前記異常検知手段により異常発生が検知された場合にセットされる異常検知フラグを記憶する記憶手段と、
当該プロジェクターの電源をオン・オフするための電源オン操作、電源オフ操作、および当該プロジェクターの使用を許可するか否かの認証を行うための認証操作を含む操作を受け付ける入力操作手段と、
前記入力操作手段が受け付けた前記操作に基づいて、当該プロジェクターの使用を許可するか否かの認証を行なう認証手段と、
前記入力操作手段が、前記電源オン操作を受け付けたときに、前記異常検知フラグがセットされていた場合、前記認証手段により認証を行わせる制御手段と、
を備えたことを特徴とする、プロジェクター。
【請求項２】
請求項１に記載のプロジェクターにおいて、
前記認証手段は、前記光源が消灯した状態において前記認証を行い、前記制御手段は前記認証が成功したときに前記光源を点灯することを特徴とする、プロジェクター。
【請求項３】
請求項１または２に記載のプロジェクターにおいて、
前記光源の累積点灯時間を計時する点灯時間計時手段をさらに備え、
前記制御手段は、前記入力操作手段が前記電源オン操作を受け付けたとき、前記累積点灯時間が所定の寿命警告時間を経過している場合に、前記認証手段により前記認証を行わせることを特徴とする、プロジェクター。
【請求項４】
請求項１から３のいずれか一項に記載のプロジェクターにおいて、
前記記憶手段は、当該プロジェクターが電源オフするときにセットされる電源オフフラグをさらに備え、
前記制御手段は、前記入力操作手段が前記電源オフ操作を受け付けたときに前記電源オフフラグをセットし、
前記制御手段は、前記入力操作手段が前記電源オン操作を受け付けたとき、前記電源オフフラグがクリアされている場合に、前記認証手段により前記認証を行わせることを特徴とする、プロジェクター。
【請求項５】
光源から射出された光を画像情報に応じて変調して投写する画像投写手段と、
異常発生を検知する異常検知手段と、
前記異常検知手段により異常発生が検知された場合にセットされる異常検知フラグを記憶する記憶手段と、を備えたプロジェクターの制御方法であって、
当該プロジェクターの使用を許可するか否かの認証を認証手段で行なう認証ステップと、
当該プロジェクターの電源オン操作を受け付けたとき、前記異常検知フラグがセットされていた場合、前記認証ステップにより前記認証を行わせる制御ステップと、
を備えたことを特徴とする、プロジェクターの制御方法。
【発明の詳細な説明】
【技術分野】
【０００１】
本発明は、プロジェクター、及びプロジェクターの制御方法に関する。
【背景技術】
【０００２】
画像を投写するプロジェクターにおいて、プロジェクター内部の温度上昇などの異常が発生した場合に警告し、さらに強制的に電源をオフする機能が使われている。
特許文献１には、異常によりプロジェクターを終了した場合に、次回の電源オン時に警告表示するものが開示されている。
【０００３】
特許文献１のプロジェクターでは異常が発生した後の起動時に警告表示されるため、前回の使用時に異常が発生していたことを知ることができる。
【先行技術文献】
【特許文献】
【０００４】
【特許文献１】特開２００４−２７９９０８号公報
【発明の概要】
【発明が解決しようとする課題】
【０００５】
しかしながら、プロジェクターをデモンストレーションなどで毎日使用しているような場合、電源をオンした後でユーザーがすぐにその場を離れてしまい、警告表示に気がつかないことがあった。また、操作に慣れていないユーザーの場合、異常が発生したメッセージに対する対処方法がわからずに使用し続けて、再度同じ異常を発生させてしまい、プロジェクターが故障してしまう虞があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、画像を投写するプロジェクターであって、光源から射出された光を画像情報に応じて変調して投写する画像投写手段と、異常発生を検知する異常検知手段と、前記異常検知手段により異常発生が検知された場合にセットされる異常検知フラグを記憶する記憶手段と、当該プロジェクターの電源をオン・オフするための電源オン操作、電源オフ操作、および当該プロジェクターの 使用を許可するか否かの認証を行う ための認証操作を含む操作を受け付ける入力操作手段と、前記入力操作手段が受け付けた前記操作に基づいて、当該プロジェクターの使用を許可するか否かの認証を行なう認証手段と、前記入力操作手段が、前記電源オン操作 を受け付けたとき に、前記異常検知フラグがセットされていた場合、前記認証手段により認証を行わせる制御手段と、を備えたことを特徴とする。
【０００８】
本適用例によれば、異常検知手段によってプロジェクターに異常が発生したことを検知した場合に異常検知フラグがセットされ、次にプロジェクターの電源オン操作を検出したときに異常検知フラグがセットされていると、プロジェクターを使用するためには認証手段による認証が必要となる。
つまり、プロジェクターに異常が発生した後で、使用するためには認証が必要となり、認証方法を知っているユーザーのみがプロジェクターを起動できるので、操作に慣れていない、異常発生時の対処方法がわからないユーザーがプロジェクターを使い続けてしまうことを防止することが可能となる。
【０００９】
［適用例２］上記適用例に記載のプロジェクターにおいて、前記認証手段は、前記光源が消灯した状態において前記認証を行い、前記制御手段は前記認証が成功したときに前記光源を点灯することを特徴とする。
【００１０】
本適用例によれば、プロジェクターに異常が発生した後で使用するための認証時には光源が消灯し、認証が成功した後で、光源が点灯するので、認証方法を知らないユーザーが認証されず、繰り返し操作を行った場合でも、光源の消耗を防ぐことが可能となる。
【００１１】
［適用例３］上記適用例に記載のプロジェクターにおいて、前記光源の累積点灯時間を計時する点灯時間計時手段をさらに備え、前記制御手段は、前記入力操作手段が前記電源オン操作を受け付けたとき、前記累積点灯時間が所定の寿命警告時間を経過している場合に、前記認証手段により前記認証を行わせることを特徴とする。
【００１２】
本適用例によれば、プロジェクターの電源をオンしようとしたとき、光源の累積点灯時間が所定の寿命警告時間を経過している場合に認証を行うので、光源の交換が必要であることに気づかずに使用し続けてしまうのを防止することが可能となる。
【００１３】
［適用例４］上記適用例に記載のプロジェクターにおいて、前記記憶手段は、当該プロジェクターが電源オフするときにセットされる電源オフフラグをさらに備え、前記制御手段は、前記入力操作手段が前記電源オフ操作を受け付けたときに前記電源オフフラグをセットし、前記制御手段は、前記入力操作手段が前記電源オン操作を受け付けたとき、前記電源オフフラグがクリアされている場合に、前記認証手段により前記認証を行わせることを特徴とする。
【００１４】
本適用例によれば、プロジェクターを使用中に電源オフ操作をせずにＡＣ電源が遮断され電源オフした場合、電源オフフラグがセットされていないので、電源オンしようとすると認証が必要となる。これにより、認証方法を知らないユーザーが、正しい電源オフ操作がなされない状態で電源オンし、使用し続けることを防止することが可能となる。
【００１５】
［適用例５］本適用例に係るプロジェクターの制御方法は、光源から射出された光を画像情報に応じて変調して投写する画像投写手段と、異常発生を検知する異常検知手段と、前記異常検知手段により異常発生が検知された場合にセットされる異常検知フラグを記憶する記憶手段と、を備えたプロジェクターの制御方法であって、当該プロジェクターの使用を許可するか否かの認証を認証手段で行なう認証ステップ当該プロジェクターの電源オン操作を受け付けたとき、前記異常検知フラグがセットされていた場合、前記認証ステップにより前記認証を行わせる制御ステップと、を備えたことを特徴とする。
【００１６】
本適用例によれば、異常検知手段によってプロジェクターに異常が発生したことを検知した場合に異常検知フラグがセットされ、次にプロジェクターの電源オン操作を検出したときに異常検知フラグがセットされていると、プロジェクターを使用するためには認証手段による認証が必要となる。
つまり、プロジェクターに異常が発生した後で、使用するためには認証が必要となり、認証方法を知っているユーザーのみがプロジェクターを起動できるので、操作に慣れていない、異常発生時の対処方法がわからないユーザーがプロジェクターを使い続けてしまうことを防止することが可能となる。
【図面の簡単な説明】
【００１７】
【図１】プロジェクターの概略構成を示すブロック図。
【図２】プロジェクターが異常を検知したときの動作を示すフローチャート。
【図３】プロジェクターの光源の使用時間が寿命警告時間に到達したときの動作を示すフローチャート。
【図４】プロジェクターが電源オフするときの動作を示すフローチャート。
【図５】プロジェクターが電源オン操作を受け付けたときの動作を示すフローチャート。
【図６】プロジェクターの警告メッセージを示す図であり、（ａ）は異常を検知したとき、（ｂ）は光源の使用時間が寿命警告時間に到達したとき、（ｃ）は電源オン時に異常検知フラグがセットされていたとき、（ｄ）は電源オン時に電源オフフラグがセットされていなかったとき、にそれぞれ表示される警告メッセージを示す。
【発明を実施するための形態】
【００１８】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１９】
（第１実施形態）
図１は、本実施形態のプロジェクターの概略構成を示すブロック図である。
図１に示すように、プロジェクター１は、画像投写手段１０、ＯＳＤ処理手段１６、画像信号処理手段１７、画像信号入力手段１８、制御手段２０、記憶手段２１、光源制御手段２２、入力操作手段２３、異常検知手段２７、報知手段２８、電源端子３０、電源部３１等で構成されており、これらは図示しない筐体の内部に収容されている。
【００２０】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２１】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２２】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２３】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００２４】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２５】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、認証手段２０１と、点灯時間計時手段２０２を含んで構成される。
【００２６】
認証手段２０１は、入力操作手段２３が受け付けた操作（認証操作）に基づいて、プロジェクター１の使用を許可するか否かの認証を行う。認証手段２０１が行う認証としては、入力操作手段２３の数字キーにより入力された暗証番号が記憶手段２１に保存された暗証番号（図示せず）と一致するか照合する暗証番号認証や、入力操作手段２３より入力されたキー操作が、記憶手段２１に保存された特定キー操作（例えば、複数のキーの同時押し、所定の順番でのキー操作など）と一致するか照合する特定キー操作認証などがある。これらの照合結果が一致した場合、プロジェクター１が使用可能となる。
点灯時間計時手段２０２は、光源ランプ１１ａの累積点灯時間を計測する。計測した累積点灯時間は、記憶手段２１に光源点灯時間２１２として保存される。
【００２７】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
本実施形態では、プロジェクター１に異常が発生した場合にセットされる異常検知フラグ２１１、光源ランプ１１ａの累積点灯時間である光源点灯時間２１２、プロジェクター１が電源オフする際にセットされる電源オフフラグ２１３が記憶手段２１に保存される。
【００２８】
入力操作手段２３は、ユーザーがプロジェクター１に対して各種指示を行うための複数の操作キーを備えている。入力操作手段２３が備える操作キーとしては、電源のオン・オフを交互に切り替える、いわゆる電源オン操作、電源オフ操作のための電源キーや、画像信号入力手段１８の複数の画像入力端子を切り替えるための入力切替キー、各種設定を行うための設定メニューを重畳表示させるメニューキー、メニューからユーザーが設定項目を選択するカーソルキー、決定キー、エスケープキー、暗証番号等を入力するための数字キー等がある。
【００２９】
ユーザーが入力操作手段２３の各種操作キーを操作すると、入力操作手段２３は、ユーザーの操作内容に応じた操作信号を制御複数の２０に出力する。なお、入力操作手段２３は、リモコン信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
また、入力操作手段２３は上述したキーにより、ユーザーがプロジェクター１の使用許可を得るための認証操作を受け付け、認証手段２０１に入力する。
【００３０】
画像信号入力手段１８は、上述したように複数の画像入力端子を備えており、各画像入力端子より、ビデオ再生装置やパーソナルコンピューター等、外部の画像出力装置から、図示しないケーブルを介して画像情報が入力される。なお、画像信号入力手段１８は、無線通信や光通信などの受信部を備え、外部機器から無線によって画像信号を入力する構成にしてもよい。
【００３１】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３２】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３３】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。
ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３４】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３５】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。なお、電源キーを押してスタンバイ状態に移行させることを「電源をオフする」、または「電源オフ操作をする」と言う。
【００３６】
光源制御手段２２は、制御手段２０の指示に基づいて、光源１１に対する電力の供給と停止とを制御し、光源１１の点灯、及び消灯を切り替える。
【００３７】
異常検知手段２７は、プロジェクター１の異常発生を検知し、制御手段２０に通知する。
【００３８】
報知手段２８は、ＬＥＤ、ブザー等で構成され、プロジェクター１が起動時に、認証を必要とする場合に報知する。
【００３９】
次に、本実施形態のプロジェクター１の動作を図２〜５のフローチャートを用いて説明する。図２はプロジェクター１が動作中に異常を検知したとき、図３はプロジェクター１が動作中に光源１１の使用時間が所定の寿命警告時間に到達したとき、図４はプロジェクター１が電源オフするとき、図５はプロジェクター１が電源オン操作を検出したときのそれぞれ動作を示すフローチャートである。
【００４０】
（異常を検知したとき）
図２に示すように、プロジェクター１が動作中に、異常検知手段２７により、異常発生を検知すると（ステップＳ１０１）、制御手段２０は異常検知フラグ２１１をセットし（ステップＳ１０２）、ステップＳ１０３に遷移する。
【００４１】
ステップＳ１０３において制御手段２０は、異常検知メッセージＭ１を画像投写手段１０により投写し、ステップＳ１０４に遷移する。このときの異常検知メッセージＭ１を図６（ａ）に示す。
【００４２】
ステップＳ１０４において、本動作フローを終了する。なお、ステップＳ１０３において異常検知メッセージＭ１を表示した後、所定時間経過後にプロジェクター１の動作電力の供給を停止し、スタンバイ状態に移行するようにしてもよい。
【００４３】
（光源１１の使用時間が寿命警告時間に到達したとき）
図３に示すように、プロジェクター１が動作中に、点灯時間計時手段２０２の計時による光源点灯時間２１２が所定の寿命警告時間Ｔ１に到達したとき（ステップＳ２０１）、制御手段２０は光源寿命警告メッセージＭ２を画像投写手段１０により投写し（ステップＳ２０２）、ステップＳ２０３に遷移する。このときの光源寿命警告メッセージＭ２を図６（ｂ）に示す。
【００４４】
ステップＳ２０３において、本動作フローを終了する。なお、ステップＳ２０２において光源寿命警告メッセージＭ２を表示した後、所定時間経過後にプロジェクター１の動作電力の供給を停止し、スタンバイ状態に移行するようにしてもよい。
【００４５】
（電源オフまたはＡＣ電源遮断をするとき）
図４に示すように、プロジェクター１が動作中に、電源オフ要因が発生すると（ステップＳ３０１）、制御手段２０はステップＳ３０２に遷移する。ここで、電源オフ要因とは、電源オフ操作（スタンバイ状態）、またはＡＣ電源の遮断操作などを含む。
【００４６】
ステップＳ３０２において、制御手段２０は、電源オフ要因が電源オフ操作によるものか否かを調べる。電源オフ要因が電源オフ操作の場合（ステップＳ３０２：Ｙ）、制御手段２０は電源オフフラグ２１３をセットし（ステップＳ３０３）、ステップＳ３０４に遷移する。
一方、電源オフ要因が電源オフ操作でない場合、例えば手動でＡＣ電源の遮断をするなどの規定外操作だった場合（ステップＳ３０２：Ｎ）、ステップＳ３０５に遷移する。
【００４７】
ステップＳ３０４において制御手段２０は、プロジェクター１の動作電力の供給を停止してスタンバイ状態に移行させ、本動作フローを終了する。
【００４８】
ステップＳ３０５においてプロジェクター１はＡＣ電源が遮断されたＡＣ断状態になり、本動作フローを終了する。
つまり、電源オフ操作をせずに、プロジェクター１のＡＣ電源を切断するなど電源の供給を遮断した場合、電源オフフラグ２１３はセットされず、クリアされたままになる。
【００４９】
（電源オン操作を検出したとき）
図５に示すように、プロジェクター１がスタンバイ状態で、入力操作手段２３より電源オン操作を受け付けると（ステップＳ４０１）、ステップＳ４０２に遷移する。
【００５０】
ステップＳ４０２において制御手段２０は、異常検知フラグ２１１がセットされているか否かを調べる。異常検知フラグ２１１がセットされている場合（ステップＳ４０２：Ｙ）、ステップＳ４０５に遷移する。異常検知フラグ２１１がセットされていない、即ちクリアされている場合（ステップＳ４０２：Ｎ）、ステップＳ４０３に遷移する。
【００５１】
ステップＳ４０３において制御手段２０は、光源点灯時間２１２が所定の寿命警告時間Ｔ１を経過しているか否かを調べる。光源点灯時間２１２が寿命警告時間Ｔ１を経過している場合（ステップＳ４０３：Ｙ）、ステップＳ４０５に遷移する。光源点灯時間２１２が寿命警告時間Ｔ１を経過していない場合（ステップＳ４０３：Ｎ）、ステップＳ４０４に遷移する。
【００５２】
ステップＳ４０４において制御手段２０は、電源オフフラグ２１３がセットされているか否かを調べる。電源オフフラグ２１３がセットされている場合（ステップＳ４０４：Ｙ）、ステップＳ４２０に遷移する。電源オフフラグ２１３がセットされていない、即ちクリアされている場合（ステップＳ４０４：Ｎ）、ステップＳ４０５に遷移する。
【００５３】
ステップＳ４０５において制御手段２０は、報知手段２８により、プロジェクター１を使用するための認証が必要なことを報知し、ステップＳ４０６に遷移する。
【００５４】
ステップＳ４０６において認証手段２０１は、プロジェクター１の使用を許可するか否かの認証を実行し、ステップＳ４０７に遷移する。本ステップが認証ステップに相当する。
【００５５】
ステップＳ４０７において制御手段２０は、ステップＳ４０６において実行した認証が成功したか否かを調べる。認証が成功した場合（ステップＳ４０７：Ｙ）、ステップＳ４０８に遷移する。認証が失敗した場合（ステップＳ４０７：Ｎ）、ステップＳ４１２に遷移する。なお、ステップＳ４０２からステップＳ４０７が制御ステップに相当する。
【００５６】
ステップＳ４０８において制御手段２０は、光源制御手段２２に指示して光源１１を点灯させ、ステップＳ４０９に遷移する。
【００５７】
ステップＳ４０９において制御手段２０は、ステップＳ４０６において実行した認証の認証要因に関するメッセージを画像投写手段１０により投写し、ステップＳ４１０に遷移する。
認証要因とはステップＳ４０６において認証を行うことになった要因であり、異常検知フラグ２１１がセットされていた場合（ステップＳ４０２：Ｙ）、光源点灯時間２１２が所定の寿命警告時間Ｔ１を経過していた場合（ステップＳ４０３：Ｙ）、電源オフフラグ２１３がクリアされていた場合（ステップＳ４０４：Ｎ）、の３つがある。
【００５８】
ここで投写するメッセージは、異常検知フラグ２１１がセットされていた場合は前回使用時に異常が発生していたことを示す異常通知メッセージＭ３、光源点灯時間２１２が所定の寿命警告時間Ｔ１を経過していた場合は光源寿命警告メッセージＭ２、電源オフフラグ２１３がクリアされていた場合は前回使用時にプロジェクター１が正常に電源オフされなかったことを示す電源オフ警告メッセージＭ４である。
異常通知メッセージＭ３を図６（ｃ）に、光源寿命警告メッセージＭ２を図６（ｂ）に、電源オフ警告メッセージＭ４を図６（ｄ）にそれぞれ示す。
【００５９】
ステップＳ４１０において制御手段２０は、ステップＳ４０６において実行した認証の認証要因が解消されたか否かのユーザー応答を調べる。即ち、ステップＳ４０９において投写した各メッセージに対してユーザーが、認証要因が解消された旨の応答操作をしたか否かを調べる。
認証要因が解消された応答操作を受け付けた場合（ステップＳ４１０：Ｙ）、ステップＳ４１１に遷移する。認証要因が解消されていない応答操作を受け付けた場合（ステップＳ４１０：Ｎ）、ステップＳ４１２に遷移する。
認証要因が解消されたとは、認証要因への対処方法がわかるユーザーが何らかの対応を施したということである。具体的には異常発生の場合は、異常要因を特定して対処することであり、光源点灯時間２１２が寿命警告時間Ｔ１を経過していた場合は、光源１１を交換したことであり、電源オフフラグ２１３がクリアされていた場合は、電源供給関係、操作方法に問題がないか確認し、対処したということである。
【００６０】
ステップＳ４１１において制御手段２０は、ステップＳ４０６において実行した認証の認証要因に関する設定情報をクリアする。即ち、異常発生の場合は異常検知フラグ２１１をクリアし、寿命警告時間Ｔ１を経過していた場合は光源点灯時間２１２をリセットする。次にステップＳ４２２に遷移する。
【００６１】
ステップＳ４１２において制御手段２０は、プロジェクター１の動作電力の供給を停止してスタンバイ状態に移行させ、本動作フローを終了する。
この時点では、認証要因は解消されていないので次に電源を入れた場合、再度認証手段２０１による認証が実行される（ステップＳ４０６）。
【００６２】
ステップＳ４２０において制御手段２０は、光源制御手段２２に指示して光源１１を点灯させ、ステップＳ４２１に遷移する。
【００６３】
ステップＳ４２１において制御手段２０は、電源オフフラグ２１３をクリアし、ステップＳ４２２に遷移する。
【００６４】
ステップＳ４２２において点灯時間計時手段２０２は、光源点灯時間２１２の計時を開始し、ステップＳ４２３に遷移する。
【００６５】
ステップＳ４２３において制御手段２０は、画像信号入力手段１８から入力される画像信号に基づく画像を画像投写手段１０により投写させ、本動作フローを終了する。
【００６６】
なお、認証要因により認証を実行してからステップＳ４２３において本動作フローを終了していても、ステップＳ４１１において認証要因に関する設定情報がクリアされているので、再度、異常発生などの認証要因が発生しない限り、次に電源オン操作をしたときには、認証手段２０１による認証は実行されない。
【００６７】
以上説明したように、本実施形態のプロジェクター１によれば、異常検知手段２７によってプロジェクター１に異常が発生したことを検知した場合に異常検知フラグ２１１がセットされ、次にプロジェクター１の電源オン操作を検出したときに異常検知フラグ２１１がセットされていると、プロジェクター１を使用するためには認証手段２０１による認証が必要となる。
つまり、プロジェクター１に異常が発生した後で使用するためには認証が必要となり、認証方法を知っているユーザーのみがプロジェクター１を起動できるので、操作に慣れていない、異常発生時の対処方法がわからないユーザーがプロジェクター１を使い続けてしまうことを防止することが可能となる。
【００６８】
また、プロジェクター１に異常が発生した後で使用するための認証時には光源１１が消灯し、認証が成功した後で、光源１１が点灯するので、認証方法を知らないユーザーが認証されず、繰り返し操作を行った場合でも、光源１１の消耗を防ぐことが可能となる。
【００６９】
また、プロジェクター１の電源をオンしようとしたとき、光源点灯時間２１２が所定の寿命警告時間Ｔ１を経過している場合に認証を行うので、光源１１の交換が必要であることに気づかずに使用し続けてしまうのを防止することが可能となる。
【００７０】
また、プロジェクター１を使用中に電源オフ操作をせずにＡＣ電源が遮断された場合、電源オフフラグ２１３がセットされていないので、電源オンしようとすると認証が必要となる。これにより、認証方法を知らないユーザーが、正しい電源オフ操作がなされない状態で電源オンし、使用し続けることを防止することが可能となる。
【００７１】
また、上記実施形態は、以下のように変更してもよい。
（変形例１）
上述した実施形態において、ＲＴＣ（リアルタイムクロック）など時刻計時手段を搭載し、プロジェクター１が電源オフしてから、所定時間内（たとえば５秒）に電源オン操作を検出した場合に認証手段２０１により認証を行うようにしてもよい。これにより、光源を点灯中にＡＣ電源の遮断が可能であるダイレクトオフモードを搭載したプロジェクター１において、瞬時停電や、ＡＣ電源を遮断し、すぐに供給するような異常な使い方が発生した場合に認証を行い、認証方法を知っているユーザーにのみ使用させることが可能となる。
【符号の説明】
【００７２】
１…プロジェクター、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…認証手段、２０２…点灯時間計時手段、２１…記憶手段、２１１…異常検知フラグ、２１２…光源点灯時間、２１３…電源オフフラグ、２２…光源制御手段、２３…入力操作手段、２７…異常検知手段、２８…報知手段、３０…電源端子、３１…電源部。
【図１】
2013152387.tif 000003
【図２】
2013152387.tif 000004
【図３】
2013152387.tif 000005
【図４】
2013152387.tif 000006
【図５】
2013152387.tif 000007
【図６】
2013152387.tif 000008